(57)【要約】【課題】保管領域に保管される管理対象物が、いつどれだけの数、保管領域から持ち出され、その後返却されたのかを管理することができるとともに、それらと対応づけて、誰が保管領域から管理対象物を持ち出し、その後返却したかを管理する。【解決手段】  保管領域９０からバッグ１１−１〜１１−ｎが持ち出されあるいは返却される際に、読取部３１ａ，３１ｂにおいて、バッグ１１−１〜１１−ｎに取り付けられた非接触型ＩＣタグ１０−１〜１０−ｎから非接触型ＩＣタグ１０−１〜１０−ｎのシリアル番号を読み取るとともに、バッグ１１−１〜１１−ｎを持ち出す利用者２１が所有するＩＤカード２０から利用者ＩＤを読み取り、管理サーバ４０において、同時に読み取られたシリアル番号と利用者ＩＤとを対応づけて管理する。【選択図】図１
2006027756.tif 000002
【特許請求の範囲】
【請求項１】
管理対象物が保管される保管領域からの前記管理対象物の持ち出し並びに前記保管領域への前記管理対象物の返却を管理する持ち出し返却管理システムであって、
前記管理対象物に装着され、当該管理対象物を識別可能な第１の識別情報が書き込まれ、該第１の識別情報が非接触状態にて読取可能な第１の情報記録媒体と、
前記管理対象物を前記保管領域から持ち出しあるいは前記保管領域へ返却する利用者が所有し、該利用者を識別可能な第２の識別情報が書き込まれ、該第２の識別情報が非接触状態にて読取可能な第２の情報記録媒体と、
前記保管領域の入出口に設けられ、前記管理対象物の通過時に該管理対象物に装着された前記第１の情報記録媒体から前記第１の識別情報を読み取り、前記第２の情報記録媒体の通過時に該第２の情報記録媒体から前記第２の識別情報を読み取る読取手段と、
前記読取手段にて同時に読み取られた前記第１の識別情報と前記第２の識別情報とを対応づけて管理する管理手段とを有する持ち出し返却管理システム。
【請求項２】
請求項１に記載の持ち出し返却管理システムにおいて、
前記読取手段は、前記保管領域への入出方向に並ぶように２つ設けられ、
前記管理手段は、前記２つの読取手段における前記第１及び第２の識別情報の読み取りのタイミングに基づいて前記管理対象物の持ち出しあるいは返却を判断することを特徴とする持ち出し返却管理システム。
【請求項３】
請求項１または請求項２に記載の持ち出し返却管理システムにおいて、
前記管理手段は、前記第２の識別情報と該第２の識別情報によって識別される利用者の氏名情報とを対応づけて管理し、
前記読取手段にて前記第２の情報記録媒体から前記第２の識別情報が読み取られた場合に該第２の識別情報と対応づけて前記管理手段にて管理された利用者の氏名情報と、前記読取手段にて前記第１の識別情報が読み取られた前記管理対象物の数とが表示される表示手段を有することを特徴とする持ち出し返却管理システム。
【請求項４】
請求項１乃至３のいずれか１項に記載の持ち出し返却管理システムにおいて、
前記管理手段は、前記読取手段にて前記第１の識別情報とともに前記第２の識別情報が読み取られなかった場合に異常信号を出力し、
前記管理手段から異常信号が出力された場合、警報を発する警報手段を有することを特徴とする持ち出し返却管理システム。
【発明の詳細な説明】
【技術分野】
【０００１】
本発明は、薬品や検体が収容されたバッグや図書館に所蔵される書籍等といった管理対象物の保管領域からの持ち出し並びに保管領域への返却を管理する持ち出し返却管理システムに関する。
【背景技術】
【０００２】
一般に、薬品や検体等といった取り扱いに注意が必要となる管理対象物においては、保管領域からの持ち出し並びに保管領域への返却を厳重に管理する必要がある。従来、薬品や検体を保管領域から持ち出す場合、持ち出し日時や持ち出し数、並びに持ち出す者の氏名等の持ち出し情報を記録簿に記録しておき、返却時に、返却日時や返却数、並びに返却した者の氏名等の返却情報を、記録簿に記録された持ち出し情報に対応づけて記録し、それにより、薬品や検体の保管領域からの持ち出し並びに保管領域への返却が管理されている。
【０００３】
ところが、このような管理方法においては、記録簿に対する記入漏れや記入間違い等によって、保管領域に保管されているとして管理されている薬品や検体の数と、実際に保管領域に保管されている薬品や検体の数とが一致しなくなってしまう虞れがある。また、薬品や検体が保管領域から不正に持ち出された場合においても、その持ち出し情報が記録簿に記録されていなければ、どの薬品や検体がいつどれだけの数、保管領域から不正に持ち出されたのかを把握することができない。
【０００４】
ここで、図書館に所蔵される書籍に、非接触状態にて情報の読み出しが可能なＩＣシールを貼付しておき、図書館の入出口に設けられたゲートを書籍が通過する際にＩＣシールから情報を読み取り、それにより、図書館からの書籍の不正持ち出しを検出するシステムが考えられている（例えば、特許文献１参照。）。
【０００５】
この技術を利用して、薬品や検体が収納されたバッグに、非接触状態にて読み出しが可能なＩＣシールを貼付しておき、薬品や検体の保管領域の入出口をバッグが通過する際にＩＣシールから情報を読み取れば、どの薬品や検体がいつどれだけの数、保管領域から持ち出されたのかを管理することができる。
【特許文献１】特開２００２−１９９２２号公報
【発明の開示】
【発明が解決しようとする課題】
【０００６】
しかしながら、上述したように、管理対象物にＩＣシールを貼付しておき、管理対象物の保管領域の入出口を管理対象物が通過する際にＩＣシールから情報を読み取り、それにいより、管理対象物の保管領域からの持ち出し並びに保管領域への返却を管理するものにおいては、どの管理対象物が、いつどれだけの数、保管領域から持ち出されたのかを管理することができるものの、誰が保管領域から管理対象物を持ち出したかを管理することができないため、保管領域からの管理対象物の不正持ち出しを検出することができるとは言い難い。
【０００７】
本発明は、上述したような従来の技術が有する問題点に鑑みてなされたものであって、保管領域に保管される管理対象物が、いつどれだけの数、保管領域から持ち出され、その後返却されたのかを管理することができるとともに、それらと対応づけて、誰が保管領域から管理対象物を持ち出し、その後返却したかを管理することができる持ち出し返却管理システムを提供することを目的とする。
【課題を解決するための手段】
【０００８】
上記目的を達成するために本発明は、
管理対象物が保管される保管領域からの前記管理対象物の持ち出し並びに前記保管領域への前記管理対象物の返却を管理する持ち出し返却管理システムであって、
前記管理対象物に装着され、当該管理対象物を識別可能な第１の識別情報が書き込まれ、該第１の識別情報が非接触状態にて読取可能な第１の情報記録媒体と、
前記管理対象物を前記保管領域から持ち出しあるいは前記保管領域へ返却する利用者が所有し、該利用者を識別可能な第２の識別情報が書き込まれ、該第２の識別情報が非接触状態にて読取可能な第２の情報記録媒体と、
前記保管領域の入出口に設けられ、前記管理対象物の通過時に該管理対象物に装着された前記第１の情報記録媒体から前記第１の識別情報を読み取り、前記第２の情報記録媒体の通過時に該第２の情報記録媒体から前記第２の識別情報を読み取る読取手段と、
前記読取手段にて同時に読み取られた前記第１の識別情報と前記第２の識別情報とを対応づけて管理する管理手段とを有する。
【０００９】
また、前記読取手段は、前記保管領域への入出方向に並ぶように２つ設けられ、
前記管理手段は、前記２つの読取手段における前記第１及び第２の識別情報の読み取りのタイミングに基づいて前記管理対象物の持ち出しあるいは返却を判断することを特徴とする。
【００１０】
また、前記管理手段は、前記第２の識別情報と該第２の識別情報によって識別される利用者の氏名情報とを対応づけて管理し、
前記読取手段にて前記第２の情報記録媒体から前記第２の識別情報が読み取られた場合に該第２の識別情報と対応づけて前記管理手段にて管理された利用者の氏名情報と、前記読取手段にて前記第１の識別情報が読み取られた前記管理対象物の数とが表示される表示手段を有することを特徴とする。
【００１１】
また、前記管理手段は、前記読取手段にて前記第１の識別情報とともに前記第２の識別情報が読み取られなかった場合に異常信号を出力し、
前記管理手段から異常信号が出力された場合、警報を発する警報手段を有することを特徴とする。
【００１２】
上記のように構成された本発明においては、管理対象物を持ち出すあるいは返却する利用者が、管理対象物が保管される保管領域の入出口を管理対象物を所持した状態で通過すると、保管領域の入出口に設けられた読取手段において、管理対象物に装着された第１の情報記録媒体からこの管理対象物を識別可能な第１の識別情報が読み取られるとともに、管理対象物を持ち出すあるいは返却する利用者が所有する第２の情報記録媒体から利用者を識別可能な第２の識別情報が読み取られる。これら読取手段にて読み取られた第１の識別情報及び第２の識別情報は管理手段に送られ、管理手段において、読取手段にて同時に読み取られた第１の識別情報と第２の識別情報とが対応づけて管理される。
【００１３】
このように、管理対象物が保管される保管領域から管理対象物を持ち出すあるいは返却する際に、管理対象物に装着された第１の情報記録媒体からこの管理対象物を識別可能な第１の識別情報が読み取られるとともに、管理対象物を持ち出すあるいは返却する利用者が所有する第２の情報記録媒体から利用者を識別可能な第２の識別情報が読み取られ、同時に読み取られた第１の識別情報と第２の識別情報とが対応づけて管理されるので、保管領域に保管される管理対象物が、いつどれだけの数、保管領域から持ち出されたり返却されたりしたのかが管理されるとともに、それらと対応づけて、誰が保管領域から管理対象物を持ち出したり返却したりしたかが管理されることになる。
【発明の効果】
【００１４】
以上説明したように本発明においては、管理対象物が保管される保管領域から管理対象物が持ち出されたり保管領域に管理対象物が返却されたりする際に、読取手段において、管理対象物に装着された第１の情報記録媒体からこの管理対象物を識別可能な第１の識別情報が読み取られるとともに、管理対象物を持ち出すあるいは返却する利用者が所有する第２の情報記録媒体から利用者を識別可能な第２の識別情報が読み取られ、管理手段において、読取手段にて同時に読み取られた第１の識別情報と第２の識別情報とが対応づけて管理される構成としたため、保管領域に保管される管理対象物が、いつどれだけの数、保管領域から持ち出されたり返却されたりしたのかを管理することができるとともに、それらと対応づけて、誰が保管領域から管理対象物を持ち出したり返却したりしたかを管理することができる。
【００１５】
また、第１の識別情報及び第２の識別情報を読み取る読取手段を、保管領域への入出方向に並ぶように２つ設け、２つの読取手段における第１及び第２の識別情報の読み取りのタイミングに基づいて管理対象物の持ち出しあるいは返却を判断するように構成したものにおいては、管理対象物に装着された第１の情報記録媒体からこの管理対象物を識別可能な第１の識別情報が読み取られるとともに、管理対象物を持ち出すあるいは返却する利用者が所有する第２の情報記録媒体から利用者を識別可能な第２の識別情報が読み取られた際に、この管理対象物が保管領域から持ち出されるのか、あるいは管理対象物が保管領域に返却されるのかを認識することができる。
【００１６】
また、読取手段にて第２の情報記録媒体から第２の識別情報が読み取られた場合に第２の識別情報によって識別される利用者の氏名情報と、読取手段にて第１の識別情報が読み取られた管理対象物の数とが表示される表示手段を有する構成としたものにおいては、この表示手段を保管領域の入出口等、利用者の目に触れやすい領域に設置すれば、管理対象物を持ち出しあるいは返却する利用者が、保管領域の入出口等において、自分の氏名及び持ち出すあるいは返却する管理対象物の数を確認することができる。
【００１７】
また、読取手段にて第１の識別情報とともに第２の識別情報が読み取られなかった場合に警報を発する警報手段を有する構成としたものにおいては、利用者を識別可能な第２の識別情報が書き込まれた第２の情報記録媒体を所有していない者が、保管領域から管理対象物を持ち出そうとした場合にそれを検出、通知することができる。
【発明を実施するための最良の形態】
【００１８】
以下に、本発明の実施の形態について図面を参照して説明する。
【００１９】
図１は、本発明の持ち出し返却管理システムの実施の一形態を示す図である。
【００２０】
本形態は図１に示すように、管理対象物に取り付けられる第１の情報記録媒体である非接触型ＩＣタグ１０と、管理対象物を保管領域から持ち出したり保管領域に返却したりする利用者が所有する第２の情報記録媒体であるＩＤカード２０と、管理対象物の保管領域の入出口に設けられた入出ゲート３０に取り付けられた読取部３１ａ，３１ｂと、利用者管理データベース７０を管理するとともに、読取部３１ａ,３１ｂにおける読取結果を用いて入出庫管理データベース８０を管理する管理装置４０と、読取部３１ａ,３１ｂにおける読取結果に応じた情報が表示される表示装置５０と、読取部３１ａ,３１ｂにおける読取結果に応じて警報が出力される警報装置６０とから構成されている。
【００２１】
非接触型ＩＣタグ１０は、非接触型ＩＣタグ１０毎にシリアル番号が書き込まれており、このシリアル番号が読取部３１ａ，３１ｂにおいて非接触状態にて読取可能に構成されている。そのため、この非接触型ＩＣタグ１０が管理対象物に取り付けられた場合、シリアル番号が管理対象物を識別可能な第１の識別情報となる。
【００２２】
また、ＩＤカード２０は、管理対象物を保管領域から持ち出したり保管領域に返却したりする利用者が所有するものであって、その表面には、利用者の顔写真や氏名等の情報が印刷されている。また、内部には、利用者を識別可能な第２の識別情報である利用者ＩＤが書き込まれたＩＣチップ（不図示）が内蔵されており、ＩＣチップに書き込まれた利用者ＩＤが読取部３１ａ，３１ｂにおいて非接触状態にて読取可能に構成されている。
【００２３】
また、読取部３１ａ,３１ｂは、管理対象物の保管領域の入出ゲート３０に取り付けられ、非接触型ＩＣタグ１０に書き込まれたシリアル番号やＩＤカード２０に書き込まれた利用者ＩＤを非接触状態にて読み取り可能に構成されている。
【００２４】
また、管理装置４０は、読取部３１ａ，３１ｂにて読み取られた非接触型ＩＣタグ１０のシリアル番号とこのシリアル番号と同時に読取部３１ａ，３１ｂにて読み取られた利用者ＩＤとを対応づけて入出庫管理データベース８０に登録して管理し、また、非接触型ＩＣタグ１０のシリアル番号及び利用者ＩＤの読取部３１ａ，３１ｂにおける読み取りのタイミングに基づいて、管理対象物の持ち出しあるいは返却を判断する。また、利用者の属性情報として、例えば氏名情報を利用者ＩＤと対応づけて利用者管理データベース７０にて管理しておき、読取部３１ａ，３１ｂにて読み取られた利用者ＩＤに対応づけられた氏名情報を利用者管理データベース７０から検索し、表示装置５０に出力する。また、読取部３１ａ，３１ｂにて非接触型ＩＣタグ１０のシリアル番号のみが読み取られ、利用者ＩＤが読み取られなかった場合に異常信号を警報機６０に対して出力する。また、管理対象物の返却と判断した場合に、読取部３１ａ，３１ｂにて読み取られた利用者ＩＤに対応づけられて管理されている非接触型ＩＣタグ１０のシリアル番号を入出庫管理データベース８０から検索し、検索されたシリアル番号と読取部３１ａ，３１ｂにて利用者ＩＤとともに読み取られたシリアル番号とが一致していない場合に異常信号を警報機６０に対して出力する。
【００２５】
また、表示装置５０は、管理装置４０から出力された氏名情報を表示する。
【００２６】
また、警報機６０は、管理装置４０から異常信号が出力された場合に警報を出力する。
【００２７】
以下に、上記のように構成された持ち出し返却管理システムにおける持ち出し返却管理方法について説明する。
【００２８】
図２は、図１に示した持ち出し返却管理システムの具体例を説明するための図である。
【００２９】
図２に示すように、本形態においては、血液等の検体が収容されたバッグ１１−１〜１１−ｎを管理対象物とし、このバック１１−１〜１１−ｎのそれぞれに、シリアル番号が書き込まれた非接触型ＩＣタグ１０−１〜１０−ｎが取り付けられており、保管領域９０に保管されたバッグ１１−１〜１１−ｎのうち３つのバッグ１１−１〜１１−３を保管領域９０から持ち出す場合の持ち出し返却管理を例に挙げて説明する。
【００３０】
まず、バッグ１１−１〜１１−３を保管領域９０から持ち出す際の処理について説明する。
【００３１】
図３は、図１及び図２に示した持ち出し返却管理システムにおいてバッグ１１−１〜１１−３を保管領域９０から持ち出す際の処理を説明するためのフローチャートである。
【００３２】
ＩＤカード２０を所有する利用者２１が、保管領域９０に保管されたバッグ１１−１〜１１−ｎのうち、３つのバッグ１１−１〜１１−３を保管領域９０から持ち出そうとして入出ゲート３０を通過すると、まず、入出ゲート３０に取り付けられた読取部３１ａ，３１ｂのうち、保管領域９０への入出方向保管領域９０側に取り付けられた読取部３１ａにおいて、バッグ１１−１〜１１−３にそれぞれ取り付けられた非接触型ＩＣタグ１０−１〜１０−３に書き込まれたシリアル番号が読み取られるとともに、このバッグ１１−１〜１１−３を持ち出す利用者２１が所有するＩＤカード２０に書き込まれた利用者ＩＤが読み取られる（ステップＳ１）。ここで、バッグ１１−１〜１１−ｎに取り付けられた非接触型ＩＣタグ１０−１〜１０−ｎには、それぞれ非接触型ＩＣタグ１０−１〜１０−ｎのシリアル番号が書き込まれているため、バッグ１１−１〜１１−３に取り付けられた非接触型ＩＣタグ１０−１〜１０−３に書き込まれたシリアル番号を読み取ることにより、バッグ１１−１〜１１−３が識別可能となる。また、利用者２１が所有するＩＤカード２０には、利用者２１を識別可能な利用者ＩＤが書き込まれており、この利用者ＩＤが読み取られることによりバッグ１１−１〜１１−３を保管領域９０から持ち出す利用者が特定可能となる。なお、読取部３１ａ，３１ｂと非接触型ＩＣタグ１０−１〜１０−３及びＩＤカード２０との間の通信方式は、非接触型ＩＣタグ１０−１〜１０−３に書き込まれたシリアル番号及びＩＤカード２０に書き込まれた利用者ＩＤが非接触状態で読取部３１ａ，３１ｂにて読み取ることができるものであれば、例えば、２．４５ＧＨｚの周波数帯を利用するものや１３．５６ＭＨｚの周波数帯を利用する等様々なものが考えられるが、本形態においては、非接触型ＩＣタグ１０−１〜１０−３に書き込まれたシリアル番号を読み取るための通信方式と、ＩＤカード２０に書き込まれた利用者ＩＤを読み取るための通信方式とを互いに同一のものとし、それにより、読取部３１ａ，３１ｂにおいて、非接触型ＩＣタグ１０−１〜１０−３に書き込まれたシリアル番号とＩＤカード２０に書き込まれた利用者ＩＤとを読み取ることができるような構成となっている。
【００３３】
ＩＤカード２０を所有する利用者２１がさらに入出ゲート３０を通過していくと、入出ゲート３０に取り付けられた読取部３１ａ，３１ｂのうち、保管領域９０への入出方向保管領域９０から離れた側に取り付けられた読取部３１ｂにおいて、上記同様に、非接触型ＩＣタグ１０−１〜１０−３に書き込まれたシリアル番号とＩＤカード２０に書き込まれた利用者ＩＤとが読み取られる（ステップＳ２）。
【００３４】
読取部３１ａ，３１ｂにて読み取られた情報は管理装置４０に送られ、管理装置４０において、まず、読取部３１ａ，３１ｂにおける情報の読み取りタイミングに基づいて、バッグ１１−１〜１１−３が保管領域９０から持ち出されることが判断され、利用者管理データベース７０が参照され、読取部３１ａ，３１ｂから送られてきた情報のうち、ＩＤカード２０から読み取られた利用者ＩＤに対応づけて登録された利用者２１の氏名情報が検索される（ステップＳ３）。なお、上述した管理装置４０におけるバッグ１１−１〜１１−３が保管領域９０から持ち出されるという判断については後述する。
【００３５】
次に、管理装置４０において、利用者管理データベース７０から検索された利用者２１の氏名情報と、読取部３１ａ，３１ｂにて読み取られたシリアル番号に応じて判断されるバッグ１１−１〜１１−３の数とが表示装置５０に出力される。ここで、読取部３１ａ，３１ｂにおいては、利用者２１によって保管領域９０から持ち出されるバッグ１１−１〜１１−３のそれぞれに取り付けられた非接触型ＩＣタグ１０−１〜１０−３に書き込まれたシリアル番号が読み取られるため、この読み取られたシリアル番号の数によって、利用者２１によって持ち出されるバッグの数を認識することができる。
【００３６】
その後、表示装置５０において、管理装置４０から出力された氏名情報と、保管領域９０から持ち出されるバッグの数とが表示される（ステップＳ４）。
【００３７】
図４は、図１及び図２に示した表示装置５０における表示例を示す図である。
【００３８】
図４に示すように、表示装置５０においては、管理装置４０から出力された氏名情報５１と、保管領域９０から持ち出されるバッグの数５２とが表示される。この表示装置５０は、図２に示すように、入出ゲート３０を保管領域９０側から通過した位置に設けられているため、保管領域９０からバッグ１１−１〜１１−３を持ち出す利用者２１は、入出ゲート３０を通過した際に、この表示装置５０に表示された氏名情報５１とバッグの数５２とによって、自分の氏名と自分が持ち出すバッグの数とを確認することができる。
【００３９】
また、管理装置４０においては、読取部３１ａ，３１ｂにて読み取られた非接触型ＩＣタグ１０−１〜１０−３のシリアル番号とこのシリアル番号と同時に読取部３１ａ，３１ｂにて読み取られた利用者ＩＤとが、これらの情報が読取部３１ａ，３１ｂにて読み取られた時間情報と対応づけて入出庫管理データベース８０に登録され（ステップＳ５）、さらに、この対応づけられた情報に、バッグ１１−１〜１１−３が持ち出されたことを示すフラグが設定される。なお、読取部３１ａ，３１ｂにてシリアル番号と利用者ＩＤとが読み取られた時間情報においては、読取部３１ａ，３１ｂのいずれか一方にてこれらの情報が読み取られた時間とすることが考えられるが、シリアル番号が読み取られた時間情報と利用者ＩＤが読み取られた時間情報とは、読取部３１ａ，３１ｂのうち、同一の読取部にて情報が読み取られた時間情報とする必要がある。
【００４０】
これにより、保管領域９０に保管されたバッグ１１−１〜１１−ｎのうち、３つのバッグ１１−１〜１１−３が、ＩＤカード２０に書き込まれた利用者ＩＤによって特定される利用者２１によって保管領域９０から持ち出されたことが入出庫管理データベース８０に登録され、管理装置４０にて管理されることになる。
【００４１】
次に、保管領域９０から持ち出したバッグ１１−１〜１１−３を保管領域９０に返却する際の処理について説明する。
【００４２】
図５は、図１及び図２に示した持ち出し返却管理システムにおいて保管領域９０から持ち出したバッグ１１−１〜１１−３を保管領域９０に返却する際の処理を説明するためのフローチャートである。
【００４３】
ＩＤカード２０を所有する利用者２１が、保管領域９０から持ち出したバッグ１１−１〜１１−３を保管領域９０に返却しようとして入出ゲート３０を通過すると、まず、入出ゲート３０に取り付けられた読取部３１ａ，３１ｂのうち、保管領域９０への入出方向保管領域９０から離れた側に取り付けられた読取部３１ｂにおいて、バッグ１１−１〜１１−３にそれぞれ貼付された非接触型ＩＣタグ１０−１〜１０−３に書き込まれたシリアル番号が読み取られるとともに、このバッグ１１−１〜１１−３を返却する利用者２１が所有するＩＤカード２０に書き込まれた利用者ＩＤが読み取られる（ステップＳ１１）。
【００４４】
ＩＤカード２０を所有する利用者２１がさらに入出ゲート３０を通過していくと、入出ゲート３０に取り付けられた読取部３１ａ，３１ｂのうち、保管領域９０への入出方向保管領域９０側に取り付けられた読取部３１ａにおいて、上記同様に、非接触型ＩＣタグ１０−１〜１０−３に書き込まれたシリアル番号とＩＤカード２０に書き込まれた利用者ＩＤとが読み取られる（ステップＳ１２）。
【００４５】
読取部３１ａ，３１ｂにて読み取られた情報は管理装置４０に送られ、管理装置４０において、まず、読取部３１ａ，３１ｂにおける情報の読み取りタイミングに基づいて、バッグ１１−１〜１１−３が保管領域９０に返却されることが判断され、入出庫管理データベース８０が参照され、読取部３１ａ，３１ｂから送られてきた情報のうち、ＩＤカード２０から読み取られた利用者ＩＤに対応づけて登録された非接触型ＩＣタグのシリアル番号が検索される（ステップＳ１３）。なお、上述した管理装置４０におけるバッグ１１−１〜１１−３が保管領域９０に返却されるという判断については後述する。
【００４６】
その後、管理装置４０において、入出庫管理データベース８０から検索されたシリアル番号と読取部３１ａ，３１ｂから送られてきたシリアル番号とが比較され、両者が一致した場合に、このシリアル番号と利用者ＩＤに設定されたフラグが解除され、それにより、保管領域９０から持ち出されたバッグ１１−１〜１１−３が、ＩＤカード２０に書き込まれた利用者ＩＤによって特定される利用者２１によって返却されたことが入出庫管理データベース８０に登録され、管理装置４０にて管理されることになる（ステップＳ１４）。
【００４７】
以下に、上述した一連の処理のうち、管理装置４０における処理について詳細に説明する。
【００４８】
図６は、図１及び図２に示した管理装置４０における処理を説明するためのフローチャートである。
【００４９】
管理装置４０においては、読取部３１ａ，３１ｂにおける情報の読み取り待ち状態において、読取部３１ａ，３１ｂにて情報が読み取られてこの情報が送られてくると（ステップＳ２１）、読取部３１ａ，３１ｂから送られてきた情報に利用者ＩＤが含まれているかどうかが判断される（ステップＳ２２）。ここで、読取部３１ａ，３１ｂにて情報が読み取られた場合、読み取られた情報には、非接触型ＩＣタグのシリアル番号が含まれているものとする。
【００５０】
読取部３１ａ，３１ｂから送られてきた情報に利用者ＩＤが含まれていると判断された場合、管理装置４０において、読取部３１ａ，３１ｂから送られてきた情報に基づいて、読取部３１ａ，３１ｂのうち、どちらの読取部にて先に情報が読み取られたかが判断される（ステップＳ２３）。なお、この判断は、読取部３１ａ,３１ｂにて情報が読み取られたタイミングで読取部３１ａ，３１ｂから情報を管理装置４０に送り、管理装置４０に情報が送られてきたタイミングによって行うことや、読取部３１ａ，３１ｂにて情報が読み取られたタイミング情報を読み取られた情報に付与して管理装置４０に送り、管理装置４０にて送られてきた情報に付与されたタイミング情報によって行うこと等が考えられる。
【００５１】
管理装置４０において、読取部３１ａ，３１ｂのうち、読取部３１ａにて先に情報が読み取られたと判断された場合は、バッグ１１−１〜１１−３が保管領域９０から持ち出されると判断される（ステップＳ２４）。これは、図２に示すように、２つの読取部３１ａ，３１ｂは、読取部３１ａが保管領域９０側、読取部３１ｂが保管領域９０から離れた側となるように保管領域９０への入出方向に並ぶように入出ゲート３０に取り付けられているため、読取部３１ａにて先に情報が読み取られた場合は、ＩＤカード２０を所有する利用者２１及び利用者２１が所持するバッグ１１−１〜１１−３が保管領域９０から出る方向に移動すると判断されることによるものである。
【００５２】
管理装置４０においては、バッグ１１−１〜１１−３が保管領域９０から持ち出されると判断されると、上述したように、利用者管理データベース７０が参照され、読取部３１ａ，３１ｂから送られてきた情報のうち、ＩＤカード２０から読み取られた利用者ＩＤに対応づけて登録された利用者２１の氏名情報が検索され（ステップＳ２５）、検索された氏名情報が表示装置５０に出力されるとともに（ステップＳ２６）、読取部３１ａ，３１ｂから送られてきた情報となる非接触型ＩＣタグ１０−１〜１０−３のシリアル番号とこのシリアル番号と同時に読取部３１ａ，３１ｂから送られてきた利用者ＩＤとが、これらの情報が読取部３１ａ，３１ｂにて読み取られた時間情報と対応づけて入出庫管理データベース８０に登録されることになる（ステップＳ２７）。
【００５３】
一方、管理装置４０において、読取部３１ａ，３１ｂのうち、読取部３１ｂにて先に情報が読み取られたと判断された場合は、バッグ１１−１〜１１−３が保管領域９０に返却されると判断される（ステップＳ２８）。これは、図２に示すように、２つの読取部３１ａ，３１ｂは、読取部３１ａが保管領域９０側、読取部３１ｂが保管領域９０から離れた側となるように保管領域９０への入出方向に並ぶように入出ゲート３０に取り付けられているため、読取部３１ｂにて先に情報が読み取られた場合は、ＩＤカード２０を所有する利用者２１及び利用者２１が所持するバッグ１１−１〜１１−３が保管領域９０に入る方向に移動すると判断されることによるものである。
【００５４】
管理装置４０においては、バッグ１１−１〜１１−３が保管領域９０に返却されると判断されると、上述したように、入出庫管理データベース８０が参照され、読取部３１ａ，３１ｂから送られてきた情報のうち、ＩＤカード２０から読み取られた利用者ＩＤに対応づけて登録された非接触型ＩＣタグのシリアル番号が検索される（ステップＳ２９）。
【００５５】
管理装置４０においては、入出庫管理データベース８０から検索されたシリアル番号と読取部３１ａ，３１ｂから送られてきたシリアル番号とが比較され、両者が一致した場合（ステップＳ３０）、このシリアル番号と利用者ＩＤに設定されたフラグが解除され、それにより、保管領域９０から持ち出されたバッグ１１−１〜１１−３が、ＩＤカード２０に書き込まれた利用者ＩＤによって特定される利用者２１によって返却されたことが入出庫管理データベース８０に登録されることになる（ステップＳ３１）。
【００５６】
また、入出庫管理データベース８０から検索されたシリアル番号と読取部３１ａ，３１ｂから送られてきたシリアル番号とが一致しない場合、管理装置４０から警報機６０に対して異常信号が出力され（ステップＳ３２）、警報機６０から警報が出力される。これは、入出庫管理データベース８０から検索されたシリアル番号と読取部３１ａ，３１ｂから送られてきたシリアル番号とが一致しないということは、読取部３１ａ，３１ｂにて読み取られた利用者ＩＤによって識別される利用者２１が、保管領域９０から持ち出したバッグ１１−１〜１１−３を全て返却していないと判断されることによるものである。
【００５７】
また、ステップＳ２２において、読取部３１ａ，３１ｂから管理装置４０に送られてきた情報に利用者ＩＤが含まれていないと判断された場合においても、ステップＳ３２の処理に移行し、管理装置４０から警報機６０に対して異常信号が出力され、警報機６０から警報が出力される。これは、読取部３１ａ，３１ｂにて非接触型ＩＣタグ１０−１〜１０−３のシリアル番号が読み取られているにも関わらずＩＤカード２０に書き込まれた利用者ＩＤが読み取られていないということは、利用者ＩＤが書き込まれたＩＤカード２０を所有しない者が、バッグ１１−１〜１１−３を保管領域９０から持ち出そうとしていると判断されるためである。
【００５８】
（他の実施の形態）
図７は、本発明の持ち出し返却システムの他の実施の形態を示す図であり、また、図８は、図７に示した持ち出し返却システムの具体例を示す図である。
【００５９】
本形態は図７及び図８に示すように、図１及び図２に示したものに対して、入出ゲート１３０の側面に、それぞれ１つずつのアンテナからなる読取部１３１が設けられているとともに、入出ゲート１３０の保管領域９０への入出方向に並ぶように２組の投光型のセンサ１３２ａ，１３２ｂが設けられている点のみが異なるものである。
【００６０】
このように構成された本形態においては、利用者２１が保管領域９０からバッグ１１−１〜１１−ｎを持ち出す際、あるいは保管領域９０にバッグ１１−１〜１１−ｎを返却する際、入出ゲート１３０を通過すると、読取部１３１において、バッグ１１−１〜１１−ｎに取り付けられた非接触型ＩＣタグ１０−１〜１０−ｎのシリアル番号が読み出されるとともに、利用者２１が所持するＩＤカード２０から利用者ＩＤが読み出される。このように、利用者２１が保管領域９０からバッグ１１−１〜１１−ｎを持ち出す際、あるいは保管領域９０にバッグ１１−１〜１１−ｎを返却する際、バッグ１１−１〜１１−ｎに取り付けられた非接触型ＩＣタグ１０−１〜１０−ｎのシリアル番号、並びに利用者２１が所持するＩＤカード２０に書き込まれた利用者ＩＤが２方向から読み出されることになり、それにより、図２に示した入出ゲート３０と比べて、非接触型ＩＣタグ１０−１〜１０−ｎのシリアル番号及び利用者ＩＤの読取率が向上する。また、この際、投光型のセンサ１３２ａ，１３２ｂによって利用者２１が入出ゲート１３０を通過したことが検出される。ここで、２組の投光型のセンサ１３２ａ，１３２ｂは、上述したように、入出ゲート１３０の保管領域９０への入出方向に並ぶように設けられているため、管理装置４０においては、このセンサ１３２ａ，１３２ｂにおける利用者２１の検出タイミングによって、利用者２１の移動方向が認識され、利用者２１が保管領域９０からバッグ１１−１〜１１−ｎを持ち出すのか、あるいは保管領域９０にバッグ１１−１〜１１−ｎを返却するのかが判断されることになる。
【００６１】
図９は、本発明の持ち出し返却システムに用いられる入出ゲートの他の例を示す図である。
【００６２】
本例は図９に示すように、それぞれ４枚の扉２３０ａ−１〜２３０ａ−４，２３０ｂ−１〜２３０ｂ−４からなる回転扉２００ａ，２００ｂが互いに対向するように設けられて構成されており、扉２３０ａ−１〜２３０ａ−４，２３０ｂ−１〜２３０ｂ−４のそれぞれには、バッグ１１−１〜〜１１−ｎに取り付けられた非接触型ＩＣタグ１０−１〜１０−ｎのシリアル番号、並びに利用者２１が所持するＩＤカード２０に書き込まれた利用者ＩＤを読み取るためのアンテナからなる読取部２３１ａ−１〜２３１ａ−４，２３１ｂ−１〜２３１ｂ−４が設けられている。また、回転扉２００ａ，２００ｂのそれぞれには、回転扉２００ａ，２００ｂの回転方向を検出するためのセンサ２３２ａ，２３２ｂが設けられている。
【００６３】
上記のように構成された入出ゲートを用いた場合、利用者２１が保管領域９０からバッグ１１−１〜１１−ｎを持ち出す際、あるいは保管領域９０にバッグ１１−１〜１１−ｎを返却する際、バッグ１１−１〜１１−ｎに取り付けられた非接触型ＩＣタグ１０−１〜１０−ｎのシリアル番号、並びに利用者２１が所持するＩＤカード２０に書き込まれた利用者ＩＤが４方向から読み出されることになり、それにより、図２及び図８に示した入出ゲート３０，１３０と比べて、非接触型ＩＣタグ１０−１〜１０−ｎのシリアル番号及び利用者ＩＤの読取率が向上する。また、この際、センサ２３２ａ，２３２ｂによって検出された回転扉２００ａ，２００ｂの回転方向に基づいて、利用者２１の移動方向が認識され、利用者２１が保管領域９０からバッグ１１−１〜１１−ｎを持ち出すのか、あるいは保管領域９０にバッグ１１−１〜１１−ｎを返却するのかが判断されることになる。
【００６４】
なお、上述した実施の形態においては、読取部３１ａ，３１ｂと非接触型ＩＣタグ１０−１〜１０−３及びＩＤカード２０との間の通信方式を同一のものとし、それにより、読取部３１ａ，３１ｂにおいて、非接触型ＩＣタグ１０−１〜１０−３に書き込まれたシリアル番号とＩＤカード２０に書き込まれた利用者ＩＤとを読み取ることができるような構成としたが、読取部３１ａ，３１ｂと非接触型ＩＣタグ１０−１〜１０−３との間の通信方式と、読取部３１ａ，３１ｂとＩＤカード２０との間の通信方式とを互いに異なるものとし、それぞれの通信方式で情報の読み取りが可能な読取部を入出ゲート３０に取り付ける構成とすることも考えられる。
【００６５】
また、上述した実施の形態においては、利用者２１が保管領域９０からバッグ１１−１〜１１−ｎを持ち出す際、あるいは保管領域９０にバッグ１１−１〜１１−ｎを返却する際に通過する１つの入出ゲートを設けているが、利用者２１が保管領域９０からバッグ１１−１〜１１−ｎを持ち出す際に利用者２１が通過する退室ゲートと、保管領域９０にバッグ１１−１〜１１−ｎを返却する際に利用者２１が通過する入室ゲートとを別個に設けることも考えられる。その場合においても、退室ゲートと入室ゲートとのそれぞれに、上述したような読取部やセンサを設けることになる。
【００６６】
また、上述した実施の形態においては、管理対象物として検体が収容されたバッグ１１−１〜１１−ｎを例に挙げて説明したが、本発明はこれに限らず、その他に例えば、図書館に所蔵される書籍を管理対象物として、書籍の図書館からの持ち出し並びに図書館への返却を管理するものにも適用することができる。
【図面の簡単な説明】
【００６７】
【図１】本発明の持ち出し返却管理システムの実施の一形態を示す図である。
【図２】図１に示した持ち出し返却管理システムの具体例を説明するための図である。
【図３】図１及び図２に示した持ち出し返却管理システムにおいてバッグを保管領域から持ち出す際の処理を説明するためのフローチャートである。
【図４】図１及び図２に示した表示装置における表示例を示す図である。
【図５】図１及び図２に示した持ち出し返却管理システムにおいて保管領域から持ち出したバッグを保管領域に返却する際の処理を説明するためのフローチャートである。
【図６】図１及び図２に示した管理装置における処理を説明するためのフローチャートである。
【図７】本発明の持ち出し返却システムの他の実施の形態を示す図である。
【図８】図７に示した持ち出し返却システムの具体例を示す図である。
【図９】本発明の持ち出し返却システムに用いられる入出ゲートの他の例を示す図である。
【符号の説明】
【００６８】
１０，１０−１〜１０−ｎ    非接触型ＩＣタグ
１１−１〜１１−ｎ    バッグ
２０    ＩＤカード
２１    利用者
３０，１３０    入出ゲート
３１ａ，３１ｂ，１３１，２３１ａ−１〜２３１ａ−４，２３１ｂ−１〜２３１ｂ−４    読取部
４０    管理装置
５０    表示装置
６０    警報機
７０    利用者管理データベース
８０    入出庫管理データベース
９０    保管領域
１３２ａ，１３２ｂ，２３２ａ，２３２ｂ    センサ
２００ａ，２００ｂ    回転扉
２３０ａ−１〜２３０ａ−４，２３０ｂ−１〜２３０ｂ−４    扉
【図１】
2006027756.tif 000003
【図２】
2006027756.tif 000004
【図３】
2006027756.tif 000005
【図４】
2006027756.tif 000006
【図５】
2006027756.tif 000007
【図６】
2006027756.tif 000008
【図７】
2006027756.tif 000009
【図８】
2006027756.tif 000010
【図９】
2006027756.tif 000011